(57)【要約】【課題】マンホール内に設けられた貯水ゲートを容易に操作することのできる貯水ゲートの開閉冶具を提供する。【解決手段】地上Ｇに設置する便器の設置位置に合わせて設けられ、流動物を流下させる縦管１２と、縦管１２を接合させて、流動物を下水道管へ向けて排出させる排水横引管１３ａ，１３ｂと、排水横引管１３ａ，１３ｂの流路を開閉し、排水横引管１３ａ，１３ｂ内の流動物を貯留させ又は排出させる貯水ゲート１７とを備えた仮設トイレの排水システム１０において、排水横引管１３ａ，１３ｂは、複数配設されているとともに互いに異なる高さ位置に設置され、これら複数の排水横引管１３ａ，１３ｂ同士は、各排水横引管１３ａ，１３ｂ内を流下する前記流動物を合流させて前記下水道管に向けて流下させる合流配管１４に接続され、合流配管１４の下流側に貯水ゲート１７が配されていることを特徴とする。【選択図】図１
2014070445.tif 000002
【特許請求の範囲】
【請求項１】
地上に設置する便器の設置位置に合わせて設けられ、流動物を流下させる縦管と、この縦管を接合させて、流動物を下水道管へ向けて排出させる排水横引管と、この排水横引管の流路を開閉し、前記排水横引管内の流動物を貯留させ又は排出させる貯水ゲートとを備えた仮設トイレの排水システムにおいて、
前記排水横引管は、複数配設されているとともに互いに異なる高さ位置に設置され、
これら複数の排水横引管は、各排水横引管内を流下する前記流動物を合流させて前記下水道管に向けて流下させる合流配管に接続され、
前記合流配管の下流側に前記貯水ゲートが配されていることを特徴とする仮設トイレの排水システム。
【請求項２】
前記複数の排水横引管のうち、一の排水横引管は、他の排水横引管の直径寸法以上この他の排水横引管よりも高い位置に設置されていることを特徴とする請求項１に記載の仮設トイレの排水システム。
【請求項３】
前記合流配管は、地表において開口可能とされていることを特徴とする請求項１又は２に記載の仮設トイレの排水システム。
【請求項４】
前記合流配管には、前記複数の排水横引管内の前記流動物をオーバーフローさせ、前記貯水ゲートの下流側に流下させるオーバーフロー管が接続されていることを特徴とする請求項１から３のいずれか一項に記載の仮設トイレの排水システム。
【発明の詳細な説明】
【技術分野】
【０００１】
本発明は、仮設トイレの排水システムに関する。
【背景技術】
【０００２】
近年、地震などの災害発生やイベントの開催等に備えて臨時的に仮設トイレを設置できるよう、学校や公園等の多数の人が集まれる場所に予め排水設備を埋設する計画が推進されている。
従来の仮設トイレの排水設備は、図４に示すように、地上に設置する便器Ｂの個数と設置位置に合わせて流動物を流下させる縦管２と、縦管２を略垂直に接合させ、流動物を収集して不図示の下水道管へ向けて排出させるよう地中に埋設された排水横引管３と、排水横引管３の流路Ｒを開閉し、排水横引管３内の流動物を貯留させ又は排出させる貯水ゲート５備えたマンホール４を設けて構成されている。そして、一のマンホール４には一の排水横引管３が接続され、貯水ゲート５によって排水管理がされている（例えば、下記特許文献１）。  
【先行技術文献】
【特許文献】
【０００３】
【特許文献１】特開平１１−１０７３６２号公報
【発明の概要】
【発明が解決しようとする課題】
【０００４】
ところで、一のマンホール４に一の排水横引管３を設ける従来の仮設トイレの排水システムでは、仮設トイレを増設させる際に一列に増設することになり、仮設トイレの設置方法の融通性がなく不便であるという問題がある。この問題については、２以上の排水横引管を同じ高さ位置に設置し、一のマンホール４内に合流させる構成が考えられる。
しかし、複数の排水横引管３，３・・を同じ高さ位置で併設させた場合、各排水横引管３の本数分増加した流動物が同時にマンホールに向かって流下するため、各排水横引管３内の流動物の流下速度が落ちてしまい、排水性が低下するという問題があった。
また、複数の排水横引管３，３・・からの流動物の流下速度を落さないためには、貯水ゲート５からの排水量を上げるべく、貯水ゲート５で開口される流路を大径にすればよいが、その場合、排水システムの設備が大型化するため費用が嵩むとともに、設置効率が低下するという問題があった。
そこで、本発明は、上記課題に鑑み、仮設トイレの排水設備を大型化させることなく複数の排水横引管から効率よく排水することのできる仮設トイレの排水システムを低コストで提供することを課題とする。
【課題を解決するための手段】
【０００５】
本発明は、地上に設置する便器の設置位置に合わせて設けられ、流動物を流下させる縦管と、この縦管を接合させて、流動物を下水道管へ向けて排出させる排水横引管と、この排水横引管の流路を開閉し、前記排水横引管内の流動物を貯留させ又は排出させる貯水ゲートとを備えた仮設トイレの排水システムにおいて、前記排水横引管は、複数配設されているとともに互いに異なる高さ位置に設置され、これら複数の排水横引管は、各排水横引管内を流下する前記流動物を合流させて前記下水道管に向けて流下させる合流配管に接続され、前記合流配管の下流側に前記貯水ゲートが配されていることを特徴とする。
本発明では、貯水ゲートの弁開放の際、複数の排水横引管の排水の水位差（水頭）によりこの排水に流速が与えられる。複数の排水横引管に高低差がなく、貯水ゲートが一の排水横引管を接続させた場合と同じサイズの場合は、水位差による流速がなく、また、貯水ゲートによる排水可能な流動物の量が変わらないため、複数の排水横引管で排水する際の流速は一の排水横引管の場合の２分の１の流速となり、流動物の搬送性は低下する。しかし、複数の排水横引管を異なる高さ位置に設置すると、高い位置の排水横引管から先に流動物が減少し、その流速が一の排水横引管のみの場合と同程度となる。高い位置の排水横引管の排水が完了後は低い位置の排水横引管のみの排水となるため、流動物の掃流性は低下しない。すなわち、貯水ゲートの排水能力を一の排水横引管に向けて順次排水させることになるため、複数の排水横引管から同時に流動物を流下させる場合よりも流動物の流下速度が速くなる。
また、高位置の排水横引管から順に排水させることができるため、貯水ゲートにおける排水能力を高めるべく設備を大型化させることなく、複数の排水横引管からの流動物をコンパクトな貯水ゲートで排水することができる。
【０００６】
また、本発明は、前記複数の排水横引管のうち、一の排水横引管は、他の排水横引管の直径寸法以上この他の排水横引管よりも高い位置に設置されていることが好ましい。
この構成により、一の排水横引管から流動物が流下し終えた後に他の排水横引管の流動物を流下させることができる。
【０００７】
また、本発明は、前記合流配管は、地表において開口可能とされていることが望ましい。
この構成により、合流配管を開口して合流配管内の状態を点検し、また必要に応じて合流配管内をメンテナンスすることができる。
【０００８】
前記合流配管には、前記複数の排水横引管内の前記流動物をオーバーフローさせ、前記貯水ゲートの下流側に流下させるオーバーフロー管が接続されていることが望ましい。
この構成により、排水横引管又は縦管内の流動物の水位が所定以上に高くなることが回避される。
【発明の効果】
【０００９】
本発明によれば、合流配管に互いに高さ位置を異ならせて複数の排水横引管を接合させているため、設置位置が高い排水横引管から順に流動物を流下させることができる。したがって、複数の排水横引管を一の貯水ゲートによって管理するに当たり、各排水横引管内の流動物の流下速度を低下させることを抑制して排水効率良く流動物を流下させることができるという効果を奏する。また、高位置の排水横引管から順に排水させることができるため、貯水ゲートにおける排水能力を高めるべく設備を大型化させることなく、複数の排水横引管からの流動物をコンパクトな貯水ゲートで排水することができる。したがって、仮設トイレの排水システムを設置効率良く、かつ、低コストで設置することができるという効果を奏する。
【図面の簡単な説明】
【００１０】
【図１】は、本発明の一実施形態として示した仮設トイレの排水システムの図であり、（ａ）はその平面図、（ｂ）は側面図である。
【図２】は、本発明の第一実施形態として示した仮設トイレの排水システムの貯水ゲート及びこの貯水ゲートに使用可能なマンホールを示した図である。
【図３】は、本発明の第一実施形態として示した仮設トイレの排水システムの一部を示した斜視図である。
【図４】は、従来の仮設トイレの排水システムを示した側面図である。
【発明を実施するための形態】
【００１１】
以下、本発明に係る仮設トイレの排水システムの実施形態について、図１〜図３を参照して説明する。
図１（ａ），（ｂ）に示すように、本発明の仮設トイレの排水システム１０は、不図示の便器の下方に設置される縦管１２を接合させる複数の排水横引管１３ａ，１３ｂと、これら複数の排水横引管１３ａ，１３ｂを接続し連通させる合流配管１４と、合流配管１４の流路Ｒを開閉する貯水ゲート１７とを備え、地中に埋設されるものである。そして、本実施形態においては、貯水ゲート１７は、合流配管１４を接続させるマンホール１６内に設置されている。
【００１２】
排水横引管１３ａは、所定の径寸法を有する断面円形の管であり、その周壁部の上方側に、便器の設置位置に合わせて間隔をおいて複数の縦管１２を鉛直方向に接合させており、軸線Ｌ１をマンホール１６に向け、所定の勾配をもって直線的に配設されている。
排水横引管１３ｂも、排水横引管１３ａと同様に形成され、上方側の周壁部に複数の縦管１２を接合させている。そして、排水横引管１３ｂは、排水横引管１３ａと平面視で所定の間隔を空けて、平面視で排水横引管１３ａに平行に、所定の勾配をもって配設されている。所定の間隔とは、排水横引管１３ａの上方に設置される仮設トイレに平行に他の仮設トイレを設置することができる間隔である。そして、排水横引管１３ｂは、マンホール１６の近傍において折曲し、排水横引管１３ａのマンホール１６近傍に位置する端部に向かって延在している。
【００１３】
図３に示すように、排水横引管１３ａと排水横引管１３ｂとは、高低差をもって異なる高さ位置に配設されている。すなわち、排水横引管１３ａ内の流路の底面が、排水横引管１３ｂ内の流路の上面よりも上方に位置し、それぞれの流路が上下方向に重ならないように、排水横引管１３ａが排水横引管１３ｂの直径寸法分以上この排水横引管１３ｂよりも高い位置に設置されている。そして、これらの排水横引管１３ａ，１３ｂは、これらの流路を連通させる合流配管１４に接合されている。
【００１４】
合流配管１４は、図１に示すように軸線Ｌ３を鉛直方向に向けて地面Ｇからマンホール１６と同じ深さまで挿入され地中に埋設されており、地面Ｇの高さで開閉自在な蓋が被冠されている。
合流配管１４の周壁部には、排水横引管１３ｂの高さ位置以下で、枝管１５が設けられており、この枝管１５が、マンホール１６に向かって延びている。
【００１５】
図２に示すように、マンホール１６は、地中に載置する基台１８と、基台１８上に筒状に立ち上がって形成された周壁部１９と、蓋材２０とを備えている。
マンホール１６内の下半部には、合流配管１４の枝管１５が接続されるマンホール継手２１がマンホール１６の周壁部１９を貫通するように取り付けられ、枝管１５の流路Ｒをマンホール１６内に延在させている。マンホール１６には、更にマンホール継手２１に対向する位置であってマンホール継手２１よりも低位置に下水道管側に設置される不図示の配管を接続させる接続継手２２が備えられている。
なお、排水横引管１３ａは、図１に示すようにその軸線Ｌ１を合流配管１４の枝管１５及び接続継手２２の軸線Ｌ２と平面視で共通にして同一直線上に位置するよう配設されている。
【００１６】
図２に示すように、貯水ゲート１７は、流路Ｒを開閉する平板状のゲート弁２３と、マンホール継手２１に固定され、ゲート弁２３を上下方向へのスライド可能に支持する枠体２３ａとを備えている。
枠体２３ａには、円筒形状に形成された嵌合部２４が取り付けられており、この嵌合部２４内に、マンホール継手２１の端部２１ｔが接続されている。
【００１７】
ゲート弁２３の上端部には、操作ロッド２５の下端部が鉛直方向に取り付けられている。操作ロッド２５は、マンホール１６の蓋材２０の中心を通る鉛直な線上に配置されている。操作ロッド２５の上端部は、水平に取り付けられた操作ハンドル２６を備え、作業者が手動で貯水ゲート１７を開閉できるようになっている。
【００１８】
次に、仮設トイレの排水システム１０の使用方法について図１，図２を用いて説明する。
まず、貯水ゲート１７は、仮設トイレを設置して使用可能状態にした通常時において、排水横引管１３ａ，１３ｂのそれぞれの流路に予め水を張った状態で流路Ｒを閉じている。この際、排水横引管１３ａが排水横引管１３ｂよりも排水横引管１３ｂの直径寸法分上方に位置するように配設されているため、排水横引管１３ｂは、満水状態となっている。
仮設トイレが使用されると、互いに連通した排水横引管１３ａ，１３ｂ内の水位が上がるため、仮設トイレの管理者等の作業者は、排水横引管１３ａ，１３ｂの水位が所定の高さになるタイミングで、貯水ゲート１７を開弁する。
【００１９】
貯水ゲート１７を開弁するには、まず、図２に示すマンホール１６の蓋材２０を専用の冶具（不図示）で開口し、貯水ゲート１７を引き上げて上方に移動させ、図１に示す合流配管１４の流路Ｒを開口する。
流路Ｒが開口すると、排水横引管１３ａ，１３ｂ内及び合流配管１４内に貯留された流動物がマンホール継手２１及び接続継手２２を介して不図示の下水道管に向かって流動する。
【００２０】
この際、排水横引管１３ａは、排水横引管１３ｂよりも高所に設置されているため、まず排水横引管１３ａ内の流動物が減少していく。この際、排水横引管１３ａの排水には、排水横引管１３ｂとの高低差すなわち水位差により流速が付加される。そして、貯水ゲート１７の排水能力の大部分がまず排水横引管１３ａに作用する。その結果、排水横引管１３ａからの流動物の流下は、排水横引管１３ａ，１３ｂの流動物を同時に流下させる場合よりも流下速度が速くなっており、排水横引管１３ａ内に貯留された流動物が、効率良く流下する。
【００２１】
また、排水横引管１３ａは、軸線Ｌ１を合流配管１４の枝管１５及び接続継手２２の軸線Ｌ２と軸線Ｌ１を同方向に向けて接続されているため、接続継手２２に接続された不図示の配管に向かって水勢を保ったまま一直線に流下する。
排水横引管１３ａ内の水位が下がり、流動物が流下し終えると、次に排水横引管１３ｂ内の流動物の流下速度が漸次勢いを増して合流配管１４、マンホール継手２１及び接続継手２２を経て下水道管に向けて流下する。
【００２２】
貯水ゲート１７を開口させておき、排水横引管１３ａ，１３ｂに貯留された流動物の下水道管への放出が完了したら、貯水ゲート１７を下方へ静かに移動させて閉じ、排水横引管１３ａ，１３ｂの共通の流路Ｒを再び閉口させる。
【００２３】
以上のように、本発明の仮設トイレの排水システム１０によれば、貯水ゲート１７を開口させた場合に高所に位置する排水横引管１３ａから順に流下物を流下させることができるため、高所に位置する排水横引管１３ａの排水に流速が付加され、更に排水横引管１３ａの流動物の流下後、排水横引管１３ｂの流動物が略単独で流下するため、各排水横引管１３ａ，１３ｂ内の流動物を効率的に流下させることができるという効果が得られる。
【００２４】
また、一の貯水ゲート１７に一の排水横引管を接続させた場合に比べて排水効率を大きく低下させることなく、一の貯水ゲート１７で複数の排水横引管１３ａ，１３ｂを排水管理することができるため、排水システム１０の設置及び処理効率がよい。
また、複数の排水横引管１３ａ，１３ｂを平行に配設しマンホール１６に接続させることができるため、仮設トイレの背面同士を対向させる等して仮設トイレを設置効率良く配置させることができるという効果が得られる。
【００２５】
また、仮設トイレの排水システム１０によれば、貯水ゲート１７における排水能力を高めるべく設備を大型化させることなく、複数の排水横引管１３ａ，１３ｂからの流動物をコンパクトな貯水ゲート１７で排水することができるため、低コストで設置することができるという効果が得られる。
また、合流配管１４は、蓋材が被冠されて開閉自在とされているため、排水横引管１３ａ，１３ｂの合流点で詰まり等が生じていないか、容易に点検し、メンテナンスすることができるという効果が得られる。
【００２６】
なお、上記の実施形態において、合流配管１４には、２つの排水横引管１３ａ，１３ｂを接合させたが、３つ以上の排水横引管を接合させても上記の実施形態と同様の作用、機能及び効果を得ることができる。
【００２７】
また、上記の実施形態において、排水横引管１３ａは、排水横引管１３ｂに対し、流路が完全に上方に位置するように配設されているが、本発明の実施態様はこの構成に限定されるものではなく、排水横引管１３ａの流路の下方が排水横引管１３ｂの流路の上方に重なるように配設されていてもよい。この場合、排水横引管１３ａ内の流動物の流下速度は、上記の実施形態の場合に比べてやや遅くなることが考えられるが、排水横引管１３ａ内の流動物が流下した後、排水横引管１３ｂ内の流動物が速やかに流下する。したがって、上記の場合であっても、複数の排水横引管を同じ高さで配設するよりも排水効率良く流動物を流下させることができる。
【００２８】
また、上記の実施形態では、貯水ゲート１７はマンホール１６内に設置された構成とされているが、貯水ゲート１７を地上から操作することができるようにしていれば、必ずしもマンホール１６が設置されている必要はない。
【００２９】
また、上記の実施形態においては、排水横引管１３ａに配管の一端側を接続し、他端側を貯水ゲート１７の下流側の配管接続させるオーバーフロー管（不図示）が接続されていることが望ましい。
この構成により、排水横引管１３ａ，１３ｂ又は縦管１２内の流動物の水位が所定以上に高くなり、縦管１２の上端開口部から排水が溢れることを回避することができるという効果が得られる。
【符号の説明】
【００３０】
１０    仮設トイレの排水システム
１２    縦管
１３ａ，１３ｂ    排水横引管
１４    合流配管
１７    貯水ゲート
Ｂ    便器
Ｒ    管路
【図１】
2014070445.tif 000003
【図２】
2014070445.tif 000004
【図３】
2014070445.tif 000005
【図４】
2014070445.tif 000006